(57)【特許請求の範囲】
【請求項１】
避難用品を収容する折り曲げ可能な座部筐体と、前記座部筐体に積層されて、前記座部筐体の折り曲げに追従して折れ曲がるクッションと、を有する座部と、
上端が前記座部に着脱自在に固定されて、下端が床面に載置される脚部と、を備え、
前記座部と前記脚部が分離した状態で、前記クッションを包み込む方向に前記座部筐体を折り曲げたとき、前記座部は頭を保護する機能を具備することを特徴とする椅子兼用ヘルメット。
【請求項２】
前記座部筐体は、中央筐体と、前記中央筐体の両側部に回動可能に取り付けられる側筐体と、を含み、
前記座部筐体は、前記側筐体の回動によって折れ曲がることを特徴とする請求項１に記載の椅子兼用ヘルメット。
【請求項３】
顎にかけるための顎紐が、折り畳まれた状態で前記座部の両側部に固定されることを特徴とする請求項１または２に記載の椅子兼用ヘルメット。
【請求項４】
前記中央筐体に固定される背もたれ部を備えることを特徴とする請求項２に記載の椅子兼用ヘルメット。
【請求項５】
前記背もたれ部と前記中央筐体との固定角度は可変であることを特徴とする請求項４に記載の椅子兼用ヘルメット。
【請求項６】
肩にかけるための肩紐が、折り畳まれた状態で前記背もたれ部の両側部に固定されることを特徴とする請求項４または５に記載の椅子兼用ヘルメット。
【請求項７】
前記背もたれ部に、荷物を支持するための荷受板が回動可能に固定されることを特徴とする請求項４〜６のいずれか１項に記載の椅子兼用ヘルメット。
【発明の詳細な説明】
【技術分野】
【０００１】
通常時は、椅子として使用して、災害時にヘルメットとして使用できる椅子兼用ヘルメットに関する。
【背景技術】
【０００２】
災害時に、身体の一部、例えば頭を守る保護具として様々な提案が行われている。
【０００３】
特許文献１では、衝撃吸収材の一部または全部を綿とすることで、コストが安く簡単に素早く着用できる防災頭巾が提案されている。
【０００４】
特許文献２では、平常時は座布団として使い、地震災害発生時は落下が予想される危険なガラスの破片から、頭と首および背中を守る防災具が提案されている。
【０００５】
特許文献３では、保管時には椅子の背もたれとして使用できて、頭部だけでなく首から背中にかけての部位を保護できるヘルメットが提案されている。
【０００６】
しかし、これらの防護具を災害のときに素早く着用できたとしても、安全な避難が保証されるものではない。例えば、避難時間が深夜の場合は、周囲の状況を把握して安全を確認するために、懐中電灯等の光源が必要となる。また、降雨のときの避難は、雨具が必要となる。さらに、避難施設に避難できたとしても、避難物資が届けられるまでの当面の食糧や、負傷した場合の救急セットは必須である。
【０００７】
熊本地震では、避難した人々の多くは、体育館の床に段ボールなどを敷きならべ、大勢がひしめき合う中で毛布を敷いて、そこに雑魚寝状態で避難生活を送っていた。体育館の床の上だけでなく、学校の廊下で寝起きした人々もいる。このような状況に鑑みると、当面の対応として簡易の寝具も携帯することが好ましい。
【０００８】
特許文献１〜３の保護具は、身体の防護のみが考慮されたものであることから、避難用品の保管は別途考慮する必要がある。防護具と同じ場所に保管されていない場合は、準備に手間取り、最悪の場合、逃げ遅れて被災する虞がある。避難用品を早急に準備できたとしても、これを持ちながらの避難は不便であり、安全な避難を阻害する。
【先行技術文献】
【特許文献】
【０００９】
【特許文献１】実用新案登録第３２０３８５２号公報
【特許文献２】特許第６４５０８９８号公報
【特許文献３】特許第６３４４５４２号公報
【発明の概要】
【発明が解決しようとする課題】
【００１０】
本発明の課題は、特別な保管場所が不要で災害時に即座に使用できて、避難に必要な避難用品を同時に持ち運べる椅子兼用ヘルメットを提供することである。
【課題を解決するための手段】
【００１１】
上記課題を解決するための発明は、椅子兼用ヘルメットであって、避難用品を収容する折り曲げ可能な座部筐体と、座部筐体に積層されて、座部筐体の折り曲げに追従して折れ曲がるクッションを有する座部と、上端が座部に着脱自在に固定されて、下端が床面に載置される脚部を備え、座部と脚部が分離した状態で、クッションを包み込む方向に座部筐体を折り曲げたとき、座部は頭を保護する機能を具備することを特徴とする。
【００１２】
この構成によれば、通常は椅子として使用して、災害時に座部を脚部から分離した状態で、座部をヘルメットとして使用できるので、ヘルメットを別途保管する必要はない。また、椅子を使用しているときに被災した場合は、座部をヘルメットとして即座に活用できる。さらに、避難用品は座部筐体に収納されているので、座部をヘルメットとして使用して避難することで、同時に、災害のときに必要となる避難用品を持ち運べる。
【００１３】
好ましくは、座部筐体は、中央筐体と、中央筐体の両側部に回動可能に取り付けられる側筐体を含み、座部筐体は、側筐体の回動によって折れ曲がる。
【００１４】
この構成によれば、座部筐体は頭頂部を保護する中央筐体と、頭側部を保護する側筐体に分割されて折り曲げられるので、頭全体を保護できる。
【００１５】
好ましくは、顎にかけるための顎紐が、折り畳まれた状態で座部の両側部に固定される。
【００１６】
この構成によれば、顎紐が、折り畳まれた状態で座部の両側部に固定されるので、顎紐を利用することで、座部の頭からの逸脱を回避できる。
【００１７】
好ましくは、中央筐体に固定される背もたれ部を備える。
【００１８】
この構成によれば、中央筐体に固定される背もたれ部を備えるので、頭のみならず背中も防護できる。
【００１９】
好ましくは、背もたれ部と中央筐体との固定角度は可変である。
【００２０】
この構成によれば、背もたれ部と中央筐体との固定角度は可変であるので、避難に好適な固定角度を適宜選択して避難できる。
【００２１】
好ましくは、肩にかけるための肩紐が、折り畳まれた状態で背もたれ部の両側部に固定される。
【００２２】
この構成によれば、背負うための肩紐が、折り畳まれた状態で背もたれ部の両側部に固定されるので、肩紐を肩に掛けることで頭の負荷を軽くした状態で避難できる。
【００２３】
好ましくは、背もたれ部に、荷物を支持するための荷受板が回動可能に固定される。
【００２４】
この構成によれば、背もたれ部に、荷物を受けるための荷受板が回動可能に固定されるので、避難するとき、荷物を背負う背負子として使用できる。
【図面の簡単な説明】
【００２５】
【図１】椅子兼用ヘルメットの斜視図である。
【図２】着脱金物の正面図である。
【図３】（ａ）は、ヘルメットとして使用した状態を説明する正面図である。（ｂ）は、同側面図である。
【図４】椅子兼用ヘルメットを簡易ベッドとして使用した態様を説明する側面図である。
【図５】座部と背もたれ部の固定角度を可変とする他の態様を説明する側面図である。
【発明を実施するための形態】
【００２６】
以下、図面を参照して本発明の実施形態を詳述する。
【００２７】
図１に示す通り、椅子兼用ヘルメット１は、座部１０、脚部２０、および背もたれ部３０を備えている。
【００２８】
座部１０は、座部筐体１５の上にクッション１１が積層される構造である。座部筐体１５は、中央筐体１２、および側筐体１３、１３を有している。中央筐体１２、および側筐体１３は内部に収納スペースが設けられた箱状の部材である。収納スペースには、災害のときに必要となる避難用品（図示略）が収納されている。具体的には、雨具、懐中電灯、非常食、エアマット１２０、エア枕、寝袋、および救急セット等である。
【００２９】
側筐体１３、１３は、中央筐体１２を挟んで対向して設けられて、丁番（図示略）によって中央筐体１２に固定されている。これにより、矢印２００の矢の方向に向かって回動可能となる。なお、矢印２００と反対方向へは、中央筐体１２と側筐体１３の下端同士が接触するので、回動できない。それぞれの側筐体１３、１３の取付面１３ａ、１３ａとなる両側部に顎紐１４、１４が対向して固定されている。顎紐１４は、折り畳まれており、重複する部分は面ファスナー（図示略）で固定されている。これにより顎紐１４は、緩むことなく取付面１３ａに沿って直線状に取り付けられるので、椅子として使用するとき顎紐１４が手に引っ掛かる等のトラブルが生じることはない。
【００３０】
クッション１１は、座部筐体１５とほぼ同じ大きさの平板であり、座部筐体１５の上に積層されている。椅子として使用するときは、臀部に直接触れて、また、ヘルメットとして使用するときは、側筐体１３の回動に伴い変形して頭部に直接触れることで落下物の衝撃から頭部を保護する。したがって、クッション性に優れ、変形性能を具備するとともに衝撃を吸収する素材とすることが好ましい。
【００３１】
脚部２０は、支持板２２、および脚２１を有している。支持板２２は、座部筐体１５とほぼ同じ大きさの矩形の平板であり、上面に座部１０が載置されている。また支持板２２の四隅から脚２１が突設して、脚２１の下端は床面１００に載置されている。支持板２２と座部１０は着脱金物２３で着脱可能に固定される。
【００３２】
図２に示す通り、着脱金物２３は、回動部材２３ａと固定部材２３ｂを有しており、それぞれの側筐体１３の側部に設けられる取付面１３ａと、支持板２２の側部に設けられる取付面２２ａに架け渡された状態で取り付けられている。回動部材２３ａを取付面１３ａに向かって回動して、固定部材２３ｂと嵌合することで脚部２０と座部１０は固定される。また、下方に向かって回動することで固定は解かれる。
【００３３】
背もたれ部３０は、背板３１と荷受板３５を有している。背板３１は、回動固定金物３３を介して中央筐体１２に回動可能に固定されている。回動固定金物３３は、自由に回動できるとともに、所定の角度で回動を停止できる機能を具備している。これにより、背板３１と中央筐体１２の固定角度を変更できる。回動固定金物３３については、周知な一般的構成であるので説明は省略する。本実施形態では1個の回動固定金物３３で、背もたれ部３０と中央筐体１２を固定しているが、複数個用いてもよいことはもちろんである。
【００３４】
荷受板３５は矩形の平板であり、上端３５ａは、２個の丁番３６を介して背板３１の裏面の上端部に固定されている。荷受板３５は、背板３１に対してほぼ９０度回動した状態で回動が停止できることが好ましい。これにより、荷受板３５に荷物１１０を安定して載置して避難できる。
【００３５】
背板３１の取付面３１ａ、３１ａとなる両側部に、肩紐３２、３２が対向して固定されている。肩紐３２は、折り畳まれており、重複する部分は面ファスナー（図示略）で固定されている。これにより肩紐３２は、緩むことなく取付面３１ａに沿って直線状に取り付けられるので、椅子として使用するとき肩紐３２が手に引っ掛かる等のトラブルが生じることはない。
【００３６】
椅子兼用ヘルメット１をヘルメットとして使用する手順について、図３、４を参照して説明する。
【００３７】
椅子兼用ヘルメット１は、普段は椅子として使用する。特に学校での使用が好ましい。椅子自体がヘルメットとなるため、大量のヘルメットの保管場所を別途確保しなくて済む。また、授業中に地震が発生した場合、座っていた椅子を即座にヘルメットとして使用できるからである。
【００３８】
地震災害が予想され避難を余儀なくされるとき、回動部材２３ａを、下方に回動して脚部２０と座部１０の固定を解く。座部１０を反転して、荷受板３５を回動し、荷受板３５に荷物１１０を載せる。
【００３９】
座部１０を持ち上げて、クッション１１を頭に当接させ、かつ背板３１を背中に当接させる状態とする。肩紐３２の折畳みを解いて肩紐３２を肩にかけ、座部１０および背もたれ部３０を背負う状態とする。これにより、座部１０、背もたれ部３０、および荷物１１０の重量は、肩で負担することになり、頭に負荷される重量は低減する。
【００４０】
クッション１１が頭側部に当接するまで側筐体１３、１３を回動した後、顎紐１４、１４の折畳みを解くとともに、顎紐１４、１４同士を面ファスナーで接合する。落下物が落下したとしても、頭は箱状の中央筐体１２、および側筐体１３、１３で保護され、落下の衝撃は、クッション１１で緩和される。仮に、高い位置から鋭利なガラスの破片が落下したとしても、中央筐体１２、および側筐体１３、１３は箱状であることから外側の部材と内側の部材が貫通されない限り、頭に直接の影響は生じない。すなわち、ヘルメット等の通常の保護具に比べても、極めて頑強な構造となっている。背中は背もたれ部３０で保護される（図３（ａ）、（ｂ）参照）。
【００４１】
上述の通り、本実施形態に係る椅子兼用ヘルメット１は、回動部材２３ａを下方に向かって回動するだけで、椅子自体をヘルメットとして極めて迅速に利用できる。例えば、ヘルメット自体を椅子の座部の裏面に収容することも考えられるが、この場合はヘルメットを取り出すために椅子を反転して、ヘルメットの固定を解く必要があり着装に手間取る。しかし、椅子兼用ヘルメット１は、椅子自体の反転を要しない。
【００４２】
周囲が暗く、避難経路が確認できないときは、座部筐体１５に避難用品として収納されている懐中電灯を活用する。また、降雨のときは、懐中電灯と同様に座部筐体１５に避難用品として収納されているカッパを利用する。避難場所に到着した後、顎紐１４、１４同士の接続を解き、肩紐３２、３２を肩から外して、座部１０、背もたれ部３０を載置面に載置する。また、避難完了後は、避難用品として収納されている非常食、救急セット等を状況に応じて使用する。さらに、寝具等が確保できないときは、図４に示す通り、避難用品として収納されているエアマット１２０を利用して一時的に敷布団としての活用も考えられる。
【００４３】
なお、本発明は、上述した実施形態に限定されず、本発明の技術的思想を逸脱しない範囲で、様々な改変、置換等を行うことができる。
【００４４】
例えば、本実施形態では、座部１０と背もたれ部３０は回動固定金物３３を介して固定されていたが、図５に示す通り、中央筐体１２に角度を変えた複数の孔（例えば２つの孔）１２ａ、１２ａを、また背もたれ部３０に孔１２ａにスライド自在に嵌合できる嵌合体３０ａ設け、この孔１２ａに嵌合体３０ａを嵌合させることで、座部１０と背もたれ部３０の固定角度を可変とするようにしてもよい。
【００４５】
この場合、背もたれ部３０を座部１０から外した状態で避難してもよい。避難するときの重量を軽くできる利点がある。状況に応じて背もたれ部３０の着脱を判断すればよい。
【００４６】
避難用品は例示であり、状況に応じて適宜選定すればよい。例えば、通常時は小学校用の椅子として使用する場合、学童が持ち運ぶ避難用品としては懐中電灯、救急セットは必ずしも必要としない。避難を誘導する先生が携帯すれば十分であり、体力のない学童の負担を軽減できるからである。
【産業上の利用可能性】
【００４７】
本発明に係る椅子兼用ヘルメットを、学校用の椅子として使用することで、災害時に大勢の生徒が迅速に、かつ安全に避難できる。また、避難後も必要な避難用具を別途用意することなく確保できることから、産業上の利用可能性は大である。
【符号の説明】
【００４８】
１      椅子兼用ヘルメット
１０    座部
１１    クッション
１２    中央筐体
１３    側筐体
１４    顎紐
１５    座部筐体
２０    脚部
３０    背もたれ部
３２    肩紐
３５    荷受板
１００  床面
【要約】      （修正有）【課題】特別な保管場所が不要で災害時に即座に使用できて、避難に必要な避難用品を同時に持ち運べる椅子兼用ヘルメットを提供すること。【解決手段】椅子兼用ヘルメット１は、座部１０、座部１０に着脱自在に固定される脚部２０、および座部１０に対して固定角度を変えて固定される背もたれ部３０を備えている。座部１０は、座部筐体１５の上にクッション１１が積層される構造である。座部筐体１５は、中央筐体１２、および側筐体１３、１３を有している。中央筐体１２、および側筐体１３は内部に収納スペースが設けられた箱状の部材である。収納スペースには、災害のときに必要となる避難用品（図示略）が収納されている。避難するとき、座部１０と脚部２０の固定を解き、クッション１１に頭が当接する状態で側筐体１３、１３を回動する。これにより、座部１５をヘルメットとして利用できる。【選択図】図１【図１】
0006685059.tif 000002
【図２】
0006685059.tif 000003
【図３】
0006685059.tif 000004
【図４】
0006685059.tif 000005
【図５】
0006685059.tif 000006